(57)【要約】【課題】落下した可動障子によって手や指を挟めるという事態をなくすること。【解決手段】上げ下げ窓の安全装置Ｘは、可動障子３の下角部に固定された第１磁性部材１１と、一方、第１磁性部材の永久磁石１４と対向するように窓枠の下枠２Ｃに固定された第２磁性部材２１とから成り、可動障子が落下した際、該可動障子の下框と前記下枠との間に、少なくとも指が入る空間ができるように第１・第２の磁性部材１１、２１は、各極性に対応して反発すること。【選択図】図３
2008303546.tif 000002
【特許請求の範囲】
【請求項１】
可動障子の下角部に固定された第１磁性部材と、一方、前記第１磁性部材の永久磁石と対向するように窓枠の下枠に固定された第２磁性部材とから成り、可動障子が落下した際、該可動障子の下框と前記下枠との間に、少なくとも指が入る空間ができるように前記第１・第２の磁性部材は、各極性に対応して反発することを特徴とする上げ下げ窓の安全装置。
【請求項２】
請求項１に於いて、第１磁性部材は、支持枠と、この支持枠に水平方向に摺動可能に内装された永久磁石と、この永久磁石に設けられ、かつ該永久磁石を縦枠の障子ロック用係合部へと係入させるための操作手段とから成ることを特徴とする上げ下げ窓の安全装置。
【請求項３】
請求項１に於いて、第２磁性部材は、取付けベース板と、この取付けベース板に固定的に配設され、かつ第１磁性部材のＳ極・Ｎ極の永久磁石と上下方向で向き合うＳ極・Ｎ極の永久磁石とから成ることを特徴とする上げ下げ窓の安全装置。
【請求項４】
請求項１に於いて、窓枠の上部に左右一組の巻上げ手段が配設され、可動障子は、これらの巻上げ手段５、５から案内滑車６、６を介して繰り出された左右一対の吊材に吊り下げられていることを特徴とする上げ下げ窓の安全装置。
【発明の詳細な説明】
【技術分野】
【０００１】
本発明は、上げ下げ窓の安全装置に関し、特に、落下する障子と窓枠の下枠との間に手や指を挟める事故を回避するための上げ下げ窓の安全装置に関する。
【背景技術】
【０００２】
特許文献１の障子吊り係止具は、上げ下げ窓の安全装置の一例である。この特許文献１は、（ａ）上げ下げ窓（障子と称される）が、吊索（吊り材）を介して上下動する点、（ｂ）障子の縦框に、係止部を有する基体、支軸、揺動ブレーキ片、吊索が係合するボス、揺動ブレーキ片を外方側に向けて付勢するバネ材とから成る障子吊り係止具（障子用ブレーキ装置）が配設されている点に特徴がある。
【０００３】
そして、この障子吊り係止具は、吊索が障子を吊持している状態では、揺動ブレーキ片のボス（突起状押し出し部）が吊索の張力によって横方向力を受けることにより、揺動ブレーキ片は、バネ材による付勢力に抗しながら窓縦枠から離間する位置に保持され、一方、吊索が切断した場合には、揺動ブレーキ片はバネ材による付勢力により外方側に突出して前記窓縦枠と接触する。
【０００４】
この特許文献１に記載の障子吊り係止具（障子用ブレーキ装置）は、揺動ブレーキ片が窓縦枠の内壁面に摩擦係合しながら、障子の落下を防止するというものである。
【０００５】
したがって、特許文献１に記載の障子吊り係止具に於いても、落下する障子と窓枠の下枠との間に手や指を挟める事故を回避するという目的を達成することができる。
【特許文献１】特開２００２−２４２５２７号公報
【発明の開示】
【発明が解決しようとする課題】
【０００６】
本発明の所期の目的は、万一、可動障子が閉鎖位置へと落下しても、落下する可動障子と窓枠の下枠との間に指を挟める事故を未然に回避することである。本発明の第２の目的は、必ずしも、複雑なブレーキ装置や係止具を障子の上框や縦框に取付ける必要がなく、窓の下角部（可動障子の下框及び下枠の角部分）に互いに反発し合う第１・第２の磁性部材を取付けるだけで良いことである。第３の目的は、部品点数を減らすとこを前提として、可動障子を閉鎖位置に於いて、手で押し下げた状態で、かつ容易に可動障子をロックすることができることである。
【課題を解決するための手段】
【０００７】
本発明の上げ下げ窓の安全装置Ｘは、可動障子３の下角部に固定された第１磁性部材１１と、一方、第１磁性部材の永久磁石１４と対向するように窓枠の下枠２Ｃに固定された第２磁性部材２１とから成り、可動障子が落下した際、該可動障子の下框と前記下枠との間に、少なくとも指が入る空間ができるように第１・第２の磁性部材１１、２１は、各極性に対応して反発することを特徴とする。そして、前記第１磁性部材１１は支持枠１２と、この支持枠に水平方向に摺動可能に内装された永久磁石１４と、この永久磁石に設けられ、かつ該永久磁石を縦枠２Ｃに設けた障子ロック用係合部２０へと係入させるための操作手段１５とから成ることを特徴とする。
【発明の効果】
【０００８】
（a）図５及び図６は、本発明の作用・効果を示す。図５から明らかなように、落下した可動障子によって指を挟めるという事態をなくすることができる。
（b）図３及び図４で示すように、第１・第２磁性部材を合理的に配設したので、部品点数を減らすことができると同時に、既存の可動障子に対して極めて簡単に取付けることができる。
（c）図６で示すように、第１・第２磁性部材は、窓の下角部に配設されていることから、可動障子３を手で押し下げた閉鎖位置に於いて、操作手段１５を操作して可動障子をロックすることができる。
【発明を実施するための最良の形態】
【０００９】
以下、図１乃至図６に示す本発明を実施するための最良の形態により説明する。
【００１０】
（１）発明の実施の環境
図１は発明の実施の環境を示す概略説明図である。本実施例の上げ下げ窓の安全装置Ｘは左右同一なので、まず、図１で全体の環境を示し、次に、図２乃至図６では、一つ（左側）の構成だけ具体的に示す。なお、本発明は、可動障子が窓枠の上部に配設した左右一組の巻上げ手段より昇降動する実施例に限定されるものではない。可動障子が左右一対のロック手段を介して所定位置に停止する実施例も含まれる。要は、落下可能な上げ下げ窓（可動障子）に安全装置Ｘを適用することができる。
【００１１】
さて、図１に於いて、１は上げ下げ窓（可動障子を含む建具のこと）である。上げ下げ窓１は、方形枠状に構成された窓枠２の内部空間に窓を構成する縦枠２Ａ、２Ｂに沿って昇降自在とされる内側の可動障子３並びに固定式外側障子４とを備えている。
【００１２】
また、縦枠２Ａ、２Ｂの上部に左右一組の巻上げ手段、例えば渦巻きバネ式バランサー装置５、５が配設され、これらの巻上げ手段５、５から、例えば上枠の吊り下げ落下ポイントにそれぞれ配設された案内滑車６、６を介して繰り出された左右一対の吊材（例えばワイヤ、ロープなど）７，７の下端部７ａ、７ａが、可動障子３に連結されている。
【００１３】
なお、２Ｃは窓枠の下方横枠（下枠）で、図１では、この下枠２Ｃと可動障子３の下框３ｂとの間に間隙８が残っている状態を示す（可動障子３が多少上方に上がっている状態）。
【００１４】
また、前記渦巻きバネ式バランサー装置５は、内設された渦巻きバネにより内側障子３の重量と力学的に平衡関係を保ち、該内側障子３を小さな力で簡単に開閉できるようにすると共に、任意の高さ位置に停止可能とする。さらに、外側障子４についても同様に、上枠に配設した図示しないダブルバランサーを用いて上下方向に開閉自在の可動障子として吊持できる。
【００１５】
（２）特定要件に関する図面の詳細
図２乃至図６を参照にして、本発明の特定要件について順次説明する。図２は可動障子３が下枠２Ｃから多少離れていることを示す。したがって、図１の左下側の部分を拡大して示している。
【００１６】
図３は、図２に於いて、特定要件の主要部を斜視で示す。図４は縦枠２Ａに設けた障子ロック用係合部（例えば受け具）を含めた特定要件の主要部を斜視で示す。
図５は、非常時、可動障子３は勢い良く落下したものの、磁性体の反発力により多少浮いている。実施例では、可動障子３は指を挟めない位置で停止している。図６は、図５に於いて、可動障子３を完全閉鎖位置へと押し下げて、かつ第１磁性体部材１１で可動障子３をロックした状態を示す。
【００１７】
（３）具体的構成―第１磁性部材１１
ここでは、特に図３及び図４の斜視図を参照にして説明する。１１は可動障子３の下角部（例えば下端面から多少上方に離れた部位）の内壁面に固定された第１磁性部材で、この第１磁性部材１１は、案内空間１３を有する横長の支持枠１２と、この支持枠１２に水平方向に摺動可能に内装された角柱状の永久磁石１４と、この永久磁石１４の外面から手前に突出し、かつ該永久磁石１４を縦枠２Ａに固定的に設けた障子ロック用係合部２０へと係入させるための操作手段１５とから成る。そして、永久磁石１４は、例えば左側がＳ極、右側がＮ極になるように設定されている。
【００１８】
前記支持枠１２は、不番の上壁と下壁に固着具用の複数個の取付け部分１６を有している。また、その一側壁（例えば室内側前壁）には、操作手段１５の支持柱１５ａを案内する水平長孔１７が形成されている。さらに、図４で示すように、可動障子３の左側端部３ａ側の先端壁は矩形状に開口１８し、また、底壁面には複数個の矩形開口１９が設けられている。したがって、横長支持枠１２は、複数の側壁に開口を有する角筒状体である。
【００１９】
次に、前記操作手段１５は、可動の永久磁石１４の一端部外面に固定された水平の支持柱１５ａと、この支持柱１５ａの外端部に設けられた摘み操作部１５ｂとから成る。
【００２０】
（４）具体的構成―第２磁性部材２１
可動側の第１磁性部材１１と固定側の第２磁性部材２１は、落下点に於いて、同一の極性が互いに向き合うように配設されている。しかして、第２磁性部材２１は、取付けベース板２２と、この取付けベース板２２の上面に固定的に配設され、かつ第１磁性部材１１のＳ極・Ｎ極の永久磁石と上下方向で向き合うＳ極・Ｎ極の永久磁石２３とから成る。
【００２１】
付言すると、前記取付けベース板２２は、固着具用の複数個の取付け部分２４を有し、また、前記永久磁石２３は、左側がＳ極、右側がＮ極になるように設定されている。
したがって、可動障子３は、図５で示す閉鎖位置の直前、換言すると、指を挟めない位置まで落下すると、第１磁性部材１１と第２磁性部材２１の各極性に対応して反発し合い、完全に閉鎖する前に浮いた状態に停止する。
【００２２】
そこで、本実施例の第１磁性部材１１と第２磁性部材２１の各永久磁石１４、２３は、上記の効果を得るために、可動障子３の落下速度や落下距離、永久磁石の重量や反発力等を考慮して、十分な反発力を得ることができる材料や形態を採用している。
【００２３】
ところで、本実施例では、「可動障子３を閉鎖位置に於いて、容易に可動障子３をロックすることができること」も目的の一つとしているので、図５で示すように、下枠２Ｃと直交する縦枠２Ａの下端部には、障子ロック用係合部２０が固定的に又は上下方向に位置調整可能に配設されている。
【実施例】
【００２４】
第１磁性部材１１と第２磁性部材２１をそれぞれ埋め込み式に配設するか、又は、本実施例のように可動障子３の外面や下枠２Ｃの上面にそれぞれ突出状態に配設するかは任意事項である。
【００２５】
また、操作手段１５と可動の永久磁石１４との取付け或いは連係の関係は、任意に設計変更し得る事項である。特に図示しないが、操作性を向上させるために、例えば、永久磁石１４に長さ方向にラックを貼り付け、一方、支持柱１５ａを支持枠１２の一側壁に回転自在に軸支し、かつその内端部に前記ラックに噛み合うピニオンを設けても良い。
また、永久磁石１４、２３には、ネオジウム系の希土類材料を用いたいわゆる希土類磁石等の高エネルギ積のものを用いられている。
【００２６】
さらに、障子ロック用係合部２０は、縦枠２Ａそのものに係合穴を形成してもよいことから、縦枠２Ａと別個の受け具２０は、任意事項である。縦枠２Ａと別個の受け具を使用する場合には、公知又は新規の受け具２０が適宜に採用される。
【産業上の利用可能性】
【００２７】
本発明は、主に錠前や建具の業界で利用される。
【図面の簡単な説明】
【００２８】
図１乃至図６は本発明の最良の実施例を示す各説明図。
【図１】本発明を備える全体の環境説明図。
【図２】図１の左下側の部分を拡大した概略説明図。
【図３】主要部の概略説明図（分解斜視）。
【図４】主要部の概略説明図（説明の便宜上の分解斜視）。
【図５】非常時、可動障子が所定位置で浮上停止した旨の説明図。
【図６】図５に於いて、可動障子３を完全閉鎖位置へと押し下げて、かつ第１磁性体部材で可動障子３をロックした状態を示す説明図。
【符号の説明】
【００２９】
Ｘ…安全装置、１…上げ下げ窓、２…窓枠、２Ａ、２Ｂ…縦枠、２ａ…案内部分、２Ｃ…下枠、３…可動障子、３ａ…左右の側端部、３ａ…下框、４…外側障子、５…巻上げ手段、７…吊材、７ａ…吊材の下端部、８…間隙、１１…第１磁性部材、１２…支持枠、１３…案内空間、１４…永久磁石、１６…取付け部分、１５…操作手段、１５ｂ…操作部、１７…水平長孔、１８…開口、２０…障子ロック用係合部、２１…第２磁性部材、２２…取付けベース板、２３…永久磁石、２４…取付け部分。
【図１】
2008303546.tif 000003
【図２】
2008303546.tif 000004
【図３】
2008303546.tif 000005
【図４】
2008303546.tif 000006
【図５】
2008303546.tif 000007
【図６】
2008303546.tif 000008